(57)【要約】【課題】隣合う発光部が異なる色の光を発光する光源を用いても、色混ざりを防止することができる表示装置および画像形成装置を提供する。【解決手段】遮光性材料からなるハウジング７に設けた複数の開口表示部４ａ、５ａ、６ａ、４ｂ、５ｂ、６ｂの内側に、上記開口表示部４ａ、５ａ、６ａ、４ｂ、５ｂ、６ｂに対応して配置された複数の発光部としてのＬＥＤ１１ａ、１１ｂ、１１ｃ、１１ｄ、１１ｅ、１１ｆを有するアレイ状光源１１のＬＥＤ１１ａ等が取付けられる表示装置１０において、上記ハウジング７の内側に、上記複数のＬＥＤ１１ａ〜１１ｆにおける各ＬＥＤ１１ａ〜１１ｆからの光が対応する開口表示部４ａ〜６ｂ以外の開口表示部へ導かれることを防止するための遮光用突出部７ａ、７ｂ、７ｃ、７ｄ、７ｅが設けられている。【選択図】図５
2008242170.tif 000002
【特許請求の範囲】
【請求項１】
遮光性材料からなるハウジングに設けた複数の開口表示部の内側に、上記開口表示部に対応して配置された複数の発光部を有する光源の前記発光部が取付けられる表示装置において、
上記ハウジングの内側に、上記複数の発光部における各発光部からの光が、対応する開口表示部以外の開口表示部へ導かれることを防止するための遮光用突出部が設けられていることを特徴とする表示装置。
【請求項２】
請求項１に記載の表示装置において、
前記ハウジングと前記光源との間に、各開口表示部に対応する複数のレンズ部を有するレンズ部材が設けられていることを特徴とする表示装置。
【請求項３】
請求項２に記載の表示装置において、
前記レンズ部材には、前記遮光用突出部を挿通させる貫通孔が設けられていることを特徴とする表示装置。
【請求項４】
請求項１乃至３のいずれかに記載の表示装置において、
前記遮光用突出部のそれぞれの先端が、前記光源に備わった基板に当接されることを特徴とする表示装置。
【請求項５】
請求項１乃至４のいずれかに記載の表示装置と、
該表示装置を備える画像形成装置本体とを具備することを特徴とする画像形成装置。
【発明の詳細な説明】
【技術分野】
【０００１】
本発明は、例えばファクシミリ、複写機、プリンタなどの電気製品の電灯表示部に配置される表示装置および画像形成装置に関する。
【背景技術】
【０００２】
上述した電気製品が、複数のファンクション機能を有するものである場合、その選択した機能を表すものとして、電灯表示部が利用される。そして、電灯表示部として、例えば複数の機能から選択された一つの機能を明るく表示し、非選択の機能を暗く表示することが行われている。
【０００３】
そのような電灯表示部として、複数の発光部が設けられたアレイ状光源を使用することが考えられる（例えば、特許文献１等参照）。
【特許文献１】特許第３１７９８１５号公報
【発明の開示】
【発明が解決しようとする課題】
【０００４】
しかしながら、上記特許文献１のアレイ状光源を使用する場合には、そのアレイ状光源を構成する複数の発光部が同色の光を発するときは、スリット幅を調整したスリットが複数の発光部を並べた方向と一致しているため、フレア光やゴースト光の発生を防止することができるものの、前記複数の発光部が異色の光を発するときは、隣や近くの発光部からの色違いの光が混ざってしまうという難点があった。
【０００５】
本発明は、このような従来技術の課題を解決するためになされたもので、隣合う発光部が異なる色の光を発光する光源を用いても、色混ざりを防止することができる表示装置および画像形成装置を提供することを目的とする。
【課題を解決するための手段】
【０００６】
請求項１の発明に係る表示装置は、遮光性材料からなるハウジングに設けた複数の開口表示部の内側に、上記開口表示部に対応して配置された複数の発光部を有する光源の前記発光部が取付けられる表示装置において、上記ハウジングの内側に、上記複数の発光部における各発光部からの光が、対応する開口表示部以外の開口表示部へ導かれることを防止するための遮光用突出部が設けられていることを特徴とする。
【０００７】
請求項２の発明に係る表示装置は、請求項１に記載の表示装置において、前記ハウジングと前記光源との間に、各開口表示部に対応する複数のレンズ部を有するレンズ部材が設けられていることを特徴とする。
【０００８】
請求項３の発明に係る表示装置は、請求項２に記載の表示装置において、前記レンズ部材には、前記遮光用突出部を挿通させる貫通孔が設けられていることを特徴とする。
【０００９】
請求項４の発明に係る表示装置は、請求項１乃至３のいずれかに記載の表示装置において、前記遮光用突出部のそれぞれの先端が、前記光源に備わった基板に当接されることを特徴とする。
【００１０】
請求項５の発明に係る画像形成装置は、請求項１乃至４のいずれかに記載の表示装置と、該表示装置を備える画像形成装置本体とを具備することを特徴とする。
【発明の効果】
【００１１】
本発明の表示装置および画像形成装置による場合には、遮光性材料からなるハウジングの内側に遮光用突出部が設けられ、その遮光用突出部が各発光部からの光を対応する開口表示部以外の開口表示部に導かれることを防止するので、隣合う発光部が異なる色の光を発光する光源を用いても、色混ざりを防止することができる。
【００１２】
請求項２の発明による場合には、ハウジングと光源との間にレンズ部材が設けられ、そのレンズ部材に形成された複数のレンズ部が各開口表示部に対応しているので、光を集光させることができ、明度をより向上させ得る。
【００１３】
請求項３の発明による場合には、レンズ部材には、遮光用突出部を挿通させる貫通孔が設けられているので、その貫通孔にハウジングの遮光用突出部を挿通させることで、レンズ部材とハウジングとの位置決めができる。また、ハウジングと光源との間にレンズ部材を設けても、遮光用突出部を各発光部から発せられる光の間に配置させることができる。
【００１４】
請求項４の発明による場合には、遮光用突出部のそれぞれの先端が、光源に備わった基板に当接されるので、発光部とレンズとの距離を一定に保持することが可能になる。
【発明を実施するための最良の形態】
【００１５】
以下に、本発明を具体的に説明する。
【００１６】
図１は、本発明に係る画像形成装置２０の一実施形態を示す外観斜視図であり、図２は、画像形成装置２０の内部構造を説明するための正面断面図である。なお、図１および図２においてＸ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００１７】
まず、図１に示す画像形成装置２０は、いわゆる胴内排紙型と称される複写機であり、装置本体２１に画像形成部２２と、定着部２３と、用紙貯留部２４と、排紙部２５と、画像読取部２６と、本発明の要部である表示装置を有する操作部１とが形成されている。そして、前記排紙部２５は、画像読取部２６の下部で装置本体２１の一部が凹没されることによって形成され、これにより当該画像形成装置２０が胴内排紙型と称されている。
【００１８】
前記装置本体２１は、外観視で直方体状を呈した下部本体２１１と、この下部本体２１１の上方に対向配置された扁平な直方体状を呈する上部本体２１２と、この上部本体２１２と前記下部本体２１１との間に介設された連結体２１３とを備えている。前記連結体２１３は、下部本体２１１と上部本体２１２との間に排紙部２５を形成させた状態で両者を互いに連結するための構造物であり、下部本体２１１の左部から立設されている。前記上部本体２１２は、その左部がかかる連結体２１３の上端部に支持されている。
【００１９】
そして、前記下部本体２１１には、画像形成部２２、定着部２３および用紙貯留部２４が内装されているとともに、前記上部本体２１２には画像読取部２６が装着されている。前記操作部１は、本実施形態においては、上部本体２１２の前縁部から前方に向かって突設されている。
【００２０】
前記排紙部２５は、下部本体２１１と上部本体２１２との間に形成されている。かかる排紙部２５は、下部本体２１１の上面に形成された胴内排紙トレイ２５１を有し、画像形成部２２からのトナー画像が転写された用紙Ｐは、連結体２１３の下部からこの胴内排紙トレイ２５１へ向けて排出される。
【００２１】
以下、画像形成部２２について図２を基に説明する。前記画像形成部２２は、用紙貯留部２４から給紙された用紙Ｐにトナー像を形成させるものであり、図２に示すように、上流側（右側）から下流側へ向けて順次配設されたマゼンタ用ユニット２２Ｍ、シアン用ユニット２２Ｃ、イエロー用ユニット２２Ｙおよびブラック用ユニット２２Ｋとを備えている。
【００２２】
各ユニット２２Ｍ，２２Ｃ，２２Ｙ，２２Ｋには、感光体ドラム２２１および現像装置２２２がそれぞれ備えられている。各感光体ドラム２２１は、図２において反時計方向へ向けて回転しつつ対応した現像装置２２２からトナーが供給される。各現像装置２２２には、装置本体２１の前面側（図２の紙面の表側）に配設された図略のトナーカートリッジからトナーが補給される。
【００２３】
各感光体ドラム２２１の直下位置には帯電器２２３がそれぞれ設けられているとともに、各帯電器２２３のさらに下方位置には露光装置２２４が設けられている。そして、各感光体ドラム２２１は、前記帯電器２２３によって周面が一様に帯電され、画像読取部２６で読み取られた画像データに基づく各色に対応したレーザー光が前記各露光装置２２４から帯電後の感光体ドラム２２１の周面に照射されることにより、各感光体ドラム２２１の周面に静電潜像が形成される。かかる静電潜像に現像装置２２２からトナーが供給されることにより、感光体ドラム２２１の周面にトナー像が形成される。
【００２４】
前記感光体ドラム２２１の上方位置には、当該各感光体ドラム２２１に当接するように駆動ローラ２２５ａおよび従動ローラ２２５ｂ間に張設された転写ベルト２２５（像担持体）が設けられている。
【００２５】
この転写ベルト２２５は、各感光体ドラム２２１に対応して設けられたドラム用転写ローラ２２５ｃによって感光体ドラム２２１の周面に対向させられ状態で各感光体ドラム２２１と同期しながら駆動ローラ２２５ａと従動ローラ２２５ｂとの間を周回する。
【００２６】
従って、転写ベルト２２５が周回することによりその表面に対しマゼンタ用ユニット２２Ｍの感光体ドラム２２１によるマゼンタのトナー像の転写が行なわれ、ついで転写ベルト２２５の同一位置にシアン用ユニット２２Ｃの感光体ドラム２２１によるシアンのトナー像の転写が重ね塗り状態で行なわれ、ついで転写ベルト２２５の同一位置にイエロー用ユニット２２Ｙの感光体ドラム２２１によるイエローのトナー像の転写が重ね塗り状態で行なわれ、最後のブラック用ユニット２２Ｋの感光体ドラム２２１によるブラックのトナー像の転写が重ね塗り状態で行なわれる。
【００２７】
これらによって転写ベルト２２５の表面にカラー画像形成される。この転写ベルト２２５の表面に形成されたカラー画像が用紙貯留部２４から搬送されてきた用紙Ｐに転写されることになる。
【００２８】
そして、各感光体ドラム２２１の図２における右方位置には当該感光体ドラム２２１の周面の残留トナーを除去して清浄化するクリーニング装置２２６が設けられている。クリーニング装置２２６によって清浄化処理された感光体ドラム２２１の周面は、新たな帯電処理のために帯電器２２３へ向かうことになる。
【００２９】
前記クリーニング装置２２６で感光体ドラム２２１の周面から取り除かれた廃トナーは、所定の経路を通って図略のトナー回収ボトルに回収される。
【００３０】
かかる画像形成部２２の左方位置には、上下方向に延びる用紙搬送路２２７が設けられている。この用紙搬送路２２７には、適所に搬送ローラ対２２７ａが設けられ、用紙貯留部２４からの用紙Ｐがこの搬送ローラ対２２７ａの駆動で駆動ローラ２２５ａに掛け回されている転写ベルト２２５へ向けて搬送される。
【００３１】
かかる用紙搬送路２２７には、駆動ローラ２２５ａと対向した位置に周面が転写ベルト２２５の表面と対向した２次転写ローラ（転写ローラ）２２０が設けられ、用紙搬送路２２７を通して搬送されつつある用紙Ｐが転写ベルト２２５と２次転写ローラ２２０とに押圧挟持されることによって転写ベルト２２５上のトナー像が当該用紙Ｐに転写される。
【００３２】
前記定着部２３は、画像形成部２２で転写された用紙Ｐ上のトナー像に対し定着処理を施すものであり、内部に加熱源であるハロゲンランプ等の通電発熱体を備えたヒートローラ２３１と、左方でこのヒートローラ２３１と対向配置された定着ローラ２３２と、この定着ローラ２３２と前記ヒートローラ２３１との間に掛け回された定着ベルト２３３と、左方でこの定着ベルト２３３と対向配置された加圧ローラ２３４とを備えている。
【００３３】
そして、２次転写ローラ２２０を介して画像形成部２２から導出された転写処理済の用紙Ｐは、定着ベルト２３３を介して定着ローラ２３２および加圧ローラ２３４間に押圧挟持されつつ定着ベルト２３３による加熱処理でトナー像が定着され、用紙Ｐ上に安定した状態のカラー画像が形成される。定着処理の完了したカラー印刷済みの用紙Ｐは、定着部２３の上部から延設された排紙搬送路２２９を通り、胴内排紙トレイ２５１へ向けて排出される。
【００３４】
前記用紙貯留部２４は、装置本体２１における露光装置２２４の下方位置に挿脱自在に装着された給紙トレイ２４１と、下部本体２１１の右側面に開閉自在に設けられた手差しトレイ２４２とを備えている。給紙トレイ２４１には用紙束Ｐ１が貯留される。そして、給紙トレイ２４１に貯留された用紙束Ｐ１からピックアップローラ２４３の駆動で用紙Ｐが１枚ずつ繰り出され、用紙搬送路２２７を通って画像形成部２２へ導入される。
【００３５】
前記手差しトレイ２４２は、用紙Ｐを１枚ずつ手差しで給紙するためのものである。かかる手差しトレイ２４２から給紙された用紙Ｐは、給紙トレイ２４１の上方位置に形成されたバイパス搬送路を介して画像形成部２２へ送り込まれる。
【００３６】
前記画像読取部２６は、前記上部本体２１２の上面開口に装着された、原稿が原稿面を下にして載置されるコンタクトガラス２６１と、このコンタクトガラス２６１上に載置された原稿を押さえるための当該コンタクトガラス２６１に対し開閉自在とされた扁平な直方体状の原稿押さえ部材２６２と、コンタクトガラス２６１上に載置された原稿の原稿画像を読み取るための上部本体２１２に内装された光学系ユニット２６４とを備えている。また、原稿押さえ部材２６２の上部には原稿自動送り装置２６３と原稿セット部２６３ａとが設けられ、この原稿セット部２６３ａにセットされた原稿は原稿自動送り装置２６３により自動送りされて、コンタクトガラス２６１の左側に設けた狭幅のコンタクトガラス２６７を点線で示すように経た後に、原稿押さえ部材２６２の上側に排出される。なお、原稿自動送り装置２６３により自動送りされる原稿は、前記光学系ユニット２６４が適当位置に移動してコンタクトガラス２６７から読み取られる。
【００３７】
前記光学系ユニット２６４は、コンタクトガラス２６１上に載置された、あるいは供給された原稿の画像を光源２６５からの光照射による反射光で読み取るものである。この反射光は、画像読取部２６内の設けられたＣＣＤ（ｃｈａｒｇｅ  ｃｏｕｐｌｅｄ  ｄｅｖｉｃｅ）２６６へ入力され、ここでディジタル化処理が施された上で画像形成部２２の露光装置２２４へ向けて出力される。
【００３８】
前記操作部１は、画像形成処理に関する各種の項目（用紙サイズや処理部数等）の入力操作およびファクシミリと複写機とプリンタの３つの機能のうちの１つを選択する操作などを行うものである。ここで、ファクシミリが選択された場合において送信を行うときは、原稿セット部２６３ａに原稿をセットし、その原稿を原稿自動送り装置２６３により自動送りして、光学系ユニット２６４にて読み取られた原稿データを転送するとともに、原稿を原稿押さえ部材２６２の上側に排出する。ファクシミリが選択された場合において受信を行うときは、受信データに基づいて画像形成部２２を制御して用紙Ｐに印字等を行ってその用紙Ｐを胴内排紙トレイ２５１へ排出する。また、複写機が選択された場合において原稿セット部２６３ａに原稿がセットされたときは、原稿を原稿自動送り装置２６３により自動送りして光学系ユニット２６４にて読み取られた原稿データに基づいて画像形成部２２を制御して用紙Ｐに印字等を行い、その用紙Ｐを胴内排紙トレイ２５１へ排出するとともに読み取られた原稿を原稿押さえ部材２６２の上側に排出する。複写機が選択された場合においてコンタクトガラス２６１の上に原稿がセットされたときは、光学系ユニット２６４にて原稿データを読み取り、その読み取られた原稿データに基づいて画像形成部２２を制御して用紙Ｐに印字等を行い、その用紙Ｐを胴内排紙トレイ２５１へ排出する。なお、読み取られた原稿は、原稿押さえ部材２６２を持ち上げて取り出される。また、プリンタが選択された場合は、受信データに基づいて画像形成部２２を制御して用紙Ｐに印字等を行ってその用紙Ｐを胴内排紙トレイ２５１へ排出する。
【００３９】
図３はかかる操作部１を示す斜視図であり、図４は図３のＩＶ−ＩＶ線による断面図である。
【００４０】
この操作部１は、遮光性材料、例えば透明でも半透明でもない樹脂材料からなるハウジング７で覆われていて、中央部に液晶表示部２が設けられ、その液晶表示部２の左側には機能選択部３が設けられ、各機能選択部３の左側にはそれぞれ該当機能が正常か異常かを表示する表示装置１０が設けられている。
【００４１】
機能選択部３は、３つの機能のうちの一つを選択することができるプッシュ釦４、５、６を有し、例えば、プッシュ釦４を押すとファクシミリを選択でき、プッシュ釦５を押すと複写機を、プッシュ釦６を押すとプリンタを選択できるようになっている。また、各機能に必要な操作を操作キー９等により設定できるように構成されている。
【００４２】
表示装置１０は各機能が正常であることを表示する３つの開口表示部４ａ、５ａ、６ａと、各機能が異常であることを表示する３つの開口表示部４ｂ、５ｂ、６ｂを有する。上記開口表示部４ａ、５ａ、６ａは、ハウジング７に円形に形成され、正常に作動するときに緑色に点灯するようになっている。一方、開口表示部４ｂ、５ｂ、６ｂは同じくハウジング７に三角形に形成され、作動が異常のときに赤色に点灯するようになっている。例えば、複写機が選択されたとき、正常であると開口表示部５ａが緑色に点灯し、異常であると開口表示部５ｂが赤色に点灯する。
【００４３】
また、表示装置１０におけるハウジング７の内側には、開口表示部４ａと開口表示部４ｂの間、開口表示部４ｂと開口表示部５ａの間、開口表示部５ａと開口表示部５ｂの間、開口表示部５ｂと開口表示部６ａの間および、開口表示部６ａと開口表示部６ｂの間の合計５箇所に、ハウジング７の内面から下側へ向けて突出した遮光用突出部７ａ、７ｂ、７ｃ、７ｄ、７ｅが形成されている。これら遮光用突出部７ａ〜７ｅはハウジング７と同一材料で一体的に形成されている。
【００４４】
また、表示装置１０は、ハウジング７の内側にそれぞれ設けられたアレイ状光源１１およびレンズ部材１２を備える。
【００４５】
アレイ状光源１１は、上記開口表示部に対応した状態で複数の発光部、６つのＬＥＤ１１ａ、１１ｂ、１１ｃ、１１ｄ、１１ｅ、１１ｆが、基板１１ｇの上に配置された構成となっている。各ＬＥＤ１１ａ〜１１ｆは、円形の開口表示部４ａ、５ａ、６ａに対応するものが、例えば緑色用のもので、三角形の開口表示部４ｂ、５ｂ、６ｂに対応するものが、例えば赤色用のものである。よって、開口表示部は、図４における左端が緑色、右端が赤色で、かつ隣合うものどうしが異なる色を発する。
【００４６】
一方、レンズ部材１２は、上記開口表示部に対応した状態で複数のレンズ部１２ａ、１２ｂ、１２ｃ、１２ｄ、１２ｅ、１２ｆが、両端を下側に突出した概略コの字状に形成されたレンズ部材本体１２ｇの上に配置され、レンズ部材本体１２ｇの下側であって各レンズ部１２ａ〜１２ｆに対応する位置には、下側に突出した導光部１３ａ、１３ｂ、１３ｃ、１３ｄ、１３ｅ、１３ｆが設けられた構成となっている。
【００４７】
上記レンズ部１２ａ〜１２ｆは、対応する開口表示部４ａ〜６ｂと同一形状に形成されていて各開口表示部４ａ〜６ｂに嵌め込まれている。また、レンズ部材本体１２ｇには、遮光用突出部７ａ〜７ｅに対応する位置関係で、貫通孔１４ａ〜１４ｅが設けられており（図５参照）、これら貫通孔１４ａ〜１４ｅには遮光用突出部７ａ〜７ｅを挿通していて、遮光用突出部７ａ〜７ｅの先端（下端）は、アレイ状光源１１の基板１１ｇに当接している。なお、図５は、図４のレンズ部材１２を上下逆にして斜めから見た図である。
【００４８】
これら遮光用突出部７ａ〜７ｅは、相互に隣り合うＬＥＤ１１ａ〜１１ｆの間に設けられていて、各ＬＥＤ１１ａ〜１１ｆからの光を、対応する開口表示部４ａ〜６ｂのみへ導く。
【００４９】
次に、本実施形態の操作部１における表示装置１０の組立て内容につき、図６〜図８に基づいて説明する。なお、図６〜図８は、図５と同様に、表示装置１０の各部を上下逆にして斜めから見た図であり、図６はハウジングの内部を示す斜視図、図７はハウジングの内側にレンズ部材を取付けた状態を示す斜視図、図８はハウジングの内側に、レンズ部材を挟む状態でアレイ状光源を取付けた状態を示す斜視図である。
【００５０】
まず、図６に示すハウジング７の内側に、図５に示すレンズ部材１２を取付ける。このとき、図７に示すようにハウジング７の内側に設けた遮光用突出部７ａ〜７ｅを、レンズ部材１２の貫通孔１４ａ〜１４ｅに通し、かつ各レンズ部１２ａ〜１２ｆをハウジング７の開口表示部４ａ、５ａ、６ａ、４ｂ、５ｂ、６ｂに挿着する（図４参照）。このように貫通孔１４ａ〜１４ｅに遮光用突出部７ａ〜７ｅを挿通させることで、レンズ部材１２とハウジング７との位置決めができる。
【００５１】
次に、図８に示すようにハウジング７の内側に、レンズ部材１２を挟む状態でアレイ状光源１１を取付ける。このとき、各ＬＥＤ１１ａ〜１１ｆが対応する各導光部１３ａ〜１３ｆと対向し、かつ遮光用突出部７ａ〜７ｅの先端（図８では上端）がアレイ状光源１１の基板１１ｇに当接するように、基板１１ｇをハウジング７の内側に設けた取付部７ｆに取付ける。この取付けに際し、上述のように貫通孔１４ａ〜１４ｅに遮光用突出部７ａ〜７ｅを挿通させているので、各ＬＥＤ１１ａ〜１１ｆの間に遮光用突出部７ａ〜７ｅが位置することになる。
【００５２】
このようにして組立てられた本実施形態に係る表示装置１０にあっては、遮光性材料からなるハウジング７の内側に遮光用突出部７ａ〜７ｅが設けられ、その遮光用突出部７ａ〜７ｅが各ＬＥＤ１１ａ〜１１ｆからの光を対応する開口表示部以外の開口表示部４ａ等に導かれることを防止するので、隣合うＬＥＤ１１ａ〜１１ｆが異なる色の光を発光するアレイ状光源１１を用いても、色混ざりを防止することができる。
【００５３】
また、ハウジング７とアレイ状光源１１との間にレンズ部材１２が設けられ、そのレンズ部材１２に形成された複数のレンズ部１２ａ〜１２ｆが各開口表示部４ａ〜６ｂに対応しているので、光を集光させることができ、明度をより向上させ得る。
【００５４】
更に、遮光用突出部７ａ〜７ｅのそれぞれの先端が、アレイ状光源１１に備わった基板１１ｇに当接されるので、ＬＥＤ１１ａ〜１１ｆとレンズ部１２ａ〜１２ｆとの距離を一定に保持することが可能になる。なお、この実施形態では、遮光用突出部７ａ〜７ｅのそれぞれの先端を基板１１ｇに当接するようにしているが、本発明はこれに限らず、遮光用突出部７ａ〜７ｅのそれぞれの先端が挿通する貫通孔を基板１１ｇに設け、その貫通孔に遮光用突出部７ａ〜７ｅのそれぞれの先端を挿通させてもよい。
【００５５】
なお、上述した実施形態においては開口表示部４ａ等およびＬＥＤ（発光部）１１ａ等が一列に並んだ表示装置１０を例に挙げているが、本発明はこれに限らず、開口表示部および発光部が二列または三列以上で並んだ表示装置、或いは、複数の開口表示部および発光部が千鳥状に配置された表示装置または複数の開口表示部および発光部がランダムに配置された表示装置などに対しても適用可能である。
【００５６】
また、上述した実施形態では開口表示部４ａ等を丸形や三角形に形成しているが、本発明はこれに限らず、四角形や五角形、或いは星形などの他の形状にしてもよいことは勿論である。
【００５７】
更に、上述した実施形態では開口表示部４ａから発する光が緑色や赤色を例に挙げているが、本発明はこれに限らず、他の色を適宜用いるようにしてもよいことは勿論である。
【００５８】
更にまた、上述した実施形態では表示装置を、画像形成装置の操作部に適用しているが、本発明はこれに限らない。単一機能の電気製品において選択要素を異なる色で分ける表示装置などにも適用することができる。要は、異なる色で各々を表示する開口表示部が近接していて、色混ざりの可能性がある一般の表示装置の全てに対し適用させ得る。
【図面の簡単な説明】
【００５９】
【図１】本発明を適用した操作部を有する画像形成装置の外観を示す斜視図である。
【図２】画像形成装置の内部構造を説明するための正面断面図である。
【図３】本発明を適用した操作部を示す斜視図である。
【図４】図３のＩＶ−ＩＶ線による断面図である。
【図５】レンズ部材を上下逆にして斜めから見た図である。
【図６】ハウジングの内部を示す斜視図である。
【図７】ハウジングの内側にレンズ部材を取付けた状態を示す斜視図である。
【図８】ハウジングの内側に、レンズ部材を挟む状態でアレイ状光源を取付けた状態を示す斜視図である。
【符号の説明】
【００６０】
１Ａ    画像形成装置
１    操作部
４ａ、５ａ、６ａ、４ｂ、５ｂ、６ｂ    開口表示部
７    ハウジング
７ａ、７ｂ、７ｃ、７ｄ、７ｅ    遮光用突出部
１０    表示装置
１１    アレイ状光源
１１ａ、１１ｂ、１１ｃ、１１ｄ、１１ｅ、１１ｆ    ＬＥＤ（発光部）
１１ｇ    基板
１２    レンズ部材
１２ａ、１２ｂ、１２ｃ、１２ｄ、１２ｅ、１２ｆ    レンズ部
１４ａ、１４ｂ、１４ｃ、１４ｄ、１４ｅ    貫通孔
【図１】
2008242170.tif 000003
【図２】
2008242170.tif 000004
【図３】
2008242170.tif 000005
【図４】
2008242170.tif 000006
【図５】
2008242170.tif 000007
【図６】
2008242170.tif 000008
【図７】
2008242170.tif 000009
【図８】
2008242170.tif 000010